(57)【特許請求の範囲】
【請求項１】
互いに着脱可能に接続されるケーブル側コネクタと基板側コネクタとからなる電気コネクタにおいて、
前記ケーブル側コネクタと前記基板側コネクタとを接続したとき、前記ケーブル側コネクタのシェルと前記基板側コネクタのシェルとが重なり合う重合領域の前記ケーブル側コネクタのシェルに形成されたバネ片上にロック用凸状部を設け、前記重合領域の前記基板側コネクタのシェルに前記ロック用凸状部が嵌合・離脱可能なロック用切欠き部を設け、
前記ロック用切欠き部に嵌合された前記ロック用凸状部を作業者の押圧操作により前記ロック用切欠き部から離脱させるロック解除片を前記基板側コネクタのシェルに設けたことを特徴とする電気コネクタ。
【請求項２】
前記重合領域の前記基板側コネクタのシェルに、前記ケーブル側コネクタと前記基板側コネクタとを接続したときに前記ロック用凸状部を包囲するようなコ字状若しくはＣ字状のスリットを形成することにより、前記ロック用切欠き部及び前記解除片を形成した請求項１記載の電気コネクタ。
【請求項３】
前記ロック用凸状部が、前記基板側コネクタへの接続方向に向かって尖った膨出面若しくはテーパ面を有する請求項１または２記載の電気コネクタ。
【発明の詳細な説明】
【技術分野】
【０００１】
本発明は、互いに着脱可能に接続されるケーブル側コネクタと基板側コネクタとを備えた電気コネクタに関する。
【背景技術】
【０００２】
本発明に関連する従来の電気コネクタとして、例えば、特許文献１記載の「ロック付き電気コネクタ」、特許文献２記載の「コネクタ」あるいは特許文献３記載の「ケーブルコネクタ」などがある。
【０００３】
特許文献１記載の「ロック付き電気コネクタ」は、互いに嵌合する第１及び第２のコネクタを備え、第１及び第２のコネクタ同士の嵌合をロックするロック付電気コネクタである。第１のコネクタは、ロック片と、ロック解除アームと、を有し、ロック片は略Ｌ字状であり、このＬ字の一方に第２のコネクタと係合する係合部、他方にロック解除アームのカム部と当接する突出部を備えている。ロック解除アームを幅方向に変位させ、カム部と突出部を当接させると、ロック片が厚み方向に変位して前記係合部の係合が解除される。また、第２のコネクタは、前記係合部と係合する係止窓を備えた金属シェルを有し、前記係止窓は第２のコネクタの外方へ臨み、かつ内方へ絞り込んで形成されている。第１及び第２のコネクタ同士が嵌合した際、前記係合部と前記係止窓とが係合し、第２のコネクタの一面より外方へ突出しない構成となっている。
【０００４】
特許文献２記載の「コネクタ」は、ケーブル側コネクタと基板側コネクタとから構成されている。ケーブル側コネクタを基板側コネクタに嵌合すると、ケーブル側コネクタのシールドシェルと一体に形成された被ロックアームの傾斜した先端部が、基板側コネクタのシールドシェルの側面部に当接する。そして、被ロックアームは弾性変形し、先端部はケーブル側コネクタのハウジングに形成された被ガイド部の切欠部に進入する。次に、被ガイド部が更に基板側コネクタのハウジングに形成されたガイド部に進入すると、弾性変形した被ロックアームが復元して、先端部は側面部に開けられた孔にロックする。ロック状態を解除する場合には、ケーブル側コネクタのシールドシェルと一体に形成されたロック解除アームの指押部を押すことにより、先端部を側面部の孔から脱出させる。
【０００５】
特許文献３記載の「ケーブルコネクタ」は、基部及び基部の先端から前方に延びて相手側コネクタとの嵌合離脱をガイドするガイド突起部を有した絶縁材料製のプラグ側保持部材と、プラグ側保持部材に保持されたプラグコンタクトと、プラグ側保持部材の基部において互いに対向する下側および上側底面をそれぞれ覆うように設けられた金属製の第１及び第２シェル部材とを備えている。第１シェル部材は、第１シェル部材の先端部からガイド突起部の下側底面を覆うように一体に繋がって延びた第１グランド端子と、第１グランド端子から一体に繋がって上方に延びてガイド突起部に埋設される側壁部と、側壁部の上端から一体に繋がりガイド突起部の上側底面から突出して相手側コネクタとの嵌合をロック保持するロック部とを備えている。
【先行技術文献】
【特許文献】
【０００６】
【特許文献１】特開２００２−１９０３５１号公報
【特許文献２】特開２００３−１６８５１９号公報
【特許文献３】特開２００９−１９９８９０号公報
【発明の概要】
【発明が解決しようとする課題】
【０００７】
特許文献１〜３に記載されたコネクタは、いずれもロック機構を備えているので、接続したときの信頼性が高い点においては優れているが、ロック解除部を別部品として設ける必要があるため、部品点数の増加や形状の複雑化を招来し、製造工程における組立工数の増加及びコスト上昇の要因となっている。
【０００８】
本発明が解決しようとする課題は、ケーブル側コネクタと基板側コネクタとの接続・分離作業が容易であって、信頼性の高い接続状態を得ることができ、構成部品点数の低減及び組み立て工数の削減を図ることができる電気コネクタを提供することにある。
【課題を解決するための手段】
【０００９】
本発明の電気コネクタは、互いに着脱可能に接続されるケーブル側コネクタと基板側コネクタとからなる電気コネクタにおいて、
前記ケーブル側コネクタと前記基板側コネクタとを接続したとき、前記ケーブル側コネクタのシェルと前記基板側コネクタのシェルとが重なり合う重合領域の前記ケーブル側コネクタのシェルに形成されたバネ片上にロック用凸状部を設け、前記重合領域の前記基板側コネクタのシェルに前記ロック用凸状部が嵌合・離脱可能なロック用切欠き部を設け、
前記ロック用切欠き部に嵌合された前記ロック用凸状部を作業者の押圧操作により前記ロック用切欠き部から離脱させるロック解除片を前記基板側コネクタのシェルに設けたことを特徴とする。
【００１０】
このような構成とすれば、ケーブル側コネクタと基板側コネクタとを互いに嵌合させるだけで、ケーブル側コネクタのシェルに形成されたロック用凸状部と、基板側コネクタのシェルに形成されたロック用切欠き部と、が互いに嵌合して接続が完了するので、容易な作業により信頼性の高い接続状態を得ることができる。
【００１１】
また、ケーブル側コネクタと基板側コネクタとを分離するときは、基板側コネクタのシェルに設けられたロック解除片を押圧操作することにより、ロック用凸状部をロック用切欠き部から離脱させ、ロックを解除することができるので、分離作業も容易である。
【００１２】
さらに、ロック用凸状部をケーブル側コネクタのシェルに一体的に設けるとともに、ロック用切欠き部及びロック解除片を基板側コネクタのシェルに一体的に設けることが可能となるため、構成部品点数を低減することができ、これにより、組み立て工数の削減を図ることができる。
【００１３】
ここで、前記領域の前記基板側コネクタのシェルに、前記ケーブル側コネクタと前記基板側コネクタとを接続したときに前記ロック用凸状部を包囲するようなコ字状若しくはＣ字状のスリットを形成することにより、前記ロック用切欠き部及び前記解除片を形成することが望ましい。
【００１４】
このような構成とすれば、構成部品点数及び組み立て工数の増加を招来することなく、ロック用切欠き部及び解除片を同時に形成することができる。
【００１５】
一方、前記ロック用凸状部が、前記基板側コネクタへの接続方向に向かって尖った膨出面若しくはテーパ面を有することが望ましい。
【００１６】
このような構成とすれば、ケーブル側コネクタと基板側コネクタとを接続するとき、ロック用凸状部をロック用切欠き部へ円滑に嵌合させることができるので、接続作業の容易化を図ることができる。
【発明の効果】
【００１７】
本発明により、ケーブル側コネクタと基板側コネクタとの接続・分離作業が容易であって、信頼性の高い接続状態を得ることができ、構成部品点数の低減及び組み立て工数の削減を図ることができる電気コネクタを提供することができる。
【図面の簡単な説明】
【００１８】
【図１】本発明の実施形態である電気コネクタを分離状態で示す斜視図である。
【図２】図１に示す電気コネクタの斜視図である。
【図３】図２の矢線Ｘで示す領域の拡大図である。
【図４】図２の矢線Ｙ方向から見た図である。
【図５】図４中のＡ−Ａ線における断面図である。
【図６】電気コネクタを接続したときの断面図である。
【図７】電気コネクタが接続状態にあるときの斜視図である。
【図８】図７中のＢ−Ｂ線における断面斜視図である。
【図９】接続状態にある電気コネクタを分離するときの断面図である。
【発明を実施するための形態】
【００１９】
以下、図面に基づいて本発明の実施形態について説明する。図１〜図５に示すように、本実施形態の電気コネクタ１００は、互いに着脱可能に接続されるケーブル側コネクタ２００と基板側コネクタ３００とによって構成されている。
【００２０】
ケーブル側コネクタ２００は、複数の同軸ケーブル２０にそれぞれ導通する複数のコンタクト２１と、コンタクト２１を保持する絶縁材料製のコンタクト保持部材２２と、コンタクト保持部材２２の上下面を覆うように取り付けられた金属製のシェル２３と、シェル２３と一体的に形成された、コネクタ後方側に自由端を有する飛び込み板状のバネ片２４と、バネ片２４の上面（露出面）に設けられたロック用凸状部２５と、を備えている。バネ片２４及びロック用凸状部２５は、シェル２３の長手方向２３Ｌの両端寄りの部分にそれぞれ設けられている。バネ片２４下部のコンタクト保持部材２２には、ロック用凸形状部２５が押圧されロックが解除される適切な窪み（図示せず）が設けられており、飛び込み板状のバネ片２４のストッパーの役割を果たすようになっている。
【００２１】
基板側コネクタ３００は、絶縁材料製のコンタクト保持部材３０と、コンタクト保持部材３０の上下面を覆うように取り付けられた金属製のシェル３１と、シェル３１の一部に開設されたロック用切欠き部３２と、ロック用切欠き部３２を覆うような状態でシェル３１と一体的に形成された飛び込み板状のロック解除片３３と、を備えている。ロック解除片３３は、ケーブル側コネクタ２００との接続側に向かって上り勾配をなすように傾斜している。ロック用切欠き部３２およびロック解除片３３は、シェル３１の長手方向３１Ｌの両端寄りの部分にそれぞれ設けられている。
【００２２】
図６に示すように、ケーブル側コネクタ２００と、基板側コネクタ３００と、を接続したとき、ケーブル側コネクタ２００のシェル２３と基板側コネクタ３００のシェル３１とが重なり合う重合領域Ｚのケーブル側コネクタ２００のシェル２３にバネ片２４及びロック用凸状部２５が設けられ、ロック用凸状部２５が嵌合・離脱可能なロック用切欠き部３２が重合領域Ｚの基板側コネクタ３００のシェル３１に設けられている。また、ロック用切欠き部３２に嵌合されたロック用凸状部２５を押圧操作によりロック用切欠き部３２から離脱させるロック解除片３３が基板側コネクタ３００のシェル３１の重合領域Ｚに設けられている。
【００２３】
ケーブル側コネクタ２００と基板側コネクタ３００とを接続する場合、図１，図２に示すような状態で、ケーブル側コネクタ２００と基板側コネクタ３００とを近づけ、ケーブル側コネクタ２００のコンタクト保持部材２２及びコンタクト２１の部分を、基板側コネクタ３００のシェル３１内に差し込む。これにより、図５，図６に示すように、ケーブル側コネクタ２００のバネ片２４及びロック用凸状部２５が、基板側コネクタ３００のロック解除片３３の下面側に入り込み、ケーブル側コネクタ２００のロック用凸状部２５が、基板側コネクタ３００のロック用切欠き部３２内に嵌合され、接続が完了する。
【００２４】
このように、ケーブル側コネクタ２００と基板側コネクタ３００とを互いに嵌合させるだけで、ケーブル側コネクタ２００のシェル２３に形成されたロック用凸状部２５が、基板側コネクタ３００のシェル３１に形成されたロック用切欠き部３２に嵌合して接続が完了するので、容易な作業により信頼性の高い接続状態を得ることができる。
【００２５】
また、ケーブル側コネクタ２００と基板側コネクタ３００とが接続されているときは、図６〜図８に示すように、ケーブル側コネクタ２００のロック用凸状部２５が、基板側コネクタ３００のロック用切欠き部３２内に嵌合されるとともに、バネ片２４の弾性力によってロック解除片３３方向に付勢されているので、ケーブル側コネクタ２００と基板側コネクタ３００とを引き離す方向の外力が加わっても容易に分離することがなく、信頼性の向上に有効である。
【００２６】
さらに、ロック用凸状部２５は、基板側コネクタ３００への接続方向（図１中の矢線Ｓ方向）に向かって尖った膨出面を有する半弾丸形状であるため、ケーブル側コネクタ２００と基板側コネクタ３００とを接続するとき、ロック用凸状部２５をロック用切欠き部３２へ円滑に嵌合させることができ、接続作業を容易化することができる。
【００２７】
次に、ケーブル側コネクタ２００と基板側コネクタ３００とを分離するときは、図９に示すように、基板側コネクタ３００のシェル３１に設けられたロック解除片３３を矢線Ｐ方向に押圧操作すると、ロック解除片３３が下降し、その下面によってロック用凸状部２５が押し下げられ、ロック用切欠き部３２からロック用凸状部２５が離脱し、ロックが解除される。
【００２８】
この後、ロック解除片３３に矢線Ｐ方向の押圧力を加えたままの状態で、ケーブル側コネクタ２００と基板側コネクタ３００とを引き離すと、ケーブル側コネクタ２００が基板側コネクタ３００から離脱するので、分離作業も容易である。
【００２９】
本実施形態の電気コネクタ１００においては、ロック用凸状部２５をケーブル側コネクタ２００のシェル２３と一体的に設けるとともに、ロック用切欠き部３２及びロック解除片３３を基板側コネクタ３００のシェル３１に一体的に設けているため、構成部品点数を低減することができ、これにより、組み立て工数の削減を図ることができる。
【００３０】
また、図６に示すように、重合領域Ｚ（図６参照）の基板側コネクタ３００のシェル３１に、ケーブル側コネクタ２００と基板側コネクタ３００とを接続したときにロック用凸状部２５を包囲するようなコ字状のスリット３２ｓを形成することにより、ロック用切欠き部３２及び解除片３３が形成されている。このため、構成部品点数及び組み立て工数の増加を招来することなく、ロック用切欠き部３２及び解除片３３を同時に形成することができる。
【産業上の利用可能性】
【００３１】
本発明の電気コネクタは、電気・電子機器産業や自動車産業などの分野において広く利用することができる。
【符号の説明】
【００３２】
２０  同軸ケーブル
２１  コンタクト
２２，３０  コンタクト保持部材
２３，３１  シェル
２３Ｌ，３１Ｌ  長手方向
２４  バネ片
２５  ロック用凸状部
３２  ロック用切欠き部
３３  ロック解除片
１００  電気コネクタ
２００  ケーブル側コネクタ
３００  基板側コネクタ
Ｚ  重合領域
【図１】
0005821564.tif 000002
【図２】
0005821564.tif 000003
【図３】
0005821564.tif 000004
【図４】
0005821564.tif 000005
【図５】
0005821564.tif 000006
【図６】
0005821564.tif 000007
【図７】
0005821564.tif 000008
【図８】
0005821564.tif 000009
【図９】
0005821564.tif 000010